(57)【要約】【課題】  一般的に競馬はどの競走馬が優勝するかを予測し所定の金額を掛けるものである。この時、競走馬の優勝を予想するにあたり競馬予想紙等に掲載された該当競走馬の過去の競走記録、例えば、過去の成績、体重、調子、騎手等のデータを土台に予測する。しかし、その様な方法では個人が単純に過去の資料をもとに検討／予測する為その過程が面倒なだけではなく優勝の変動が激しい競馬において優勝可能性を決定するのは困難である。さらに予想優勝馬をもとに２着馬・３着馬を予想するのは非常に困難であり、また予想専用端末／高額な予想ソフト／専用の接続ツール等を購入し利用者のパソコンにインストールしなければならないのが実情である。【解決手段】  利用者パソコンからウェブブラウザを利用しインターネット網を通じアクセス。安価な利用料でかつマウスのみの操作で利用者の予想優勝馬に対する２着馬・３着馬確率検索が簡潔に操作可能である。【選択図】図４
2007317149.tif 000002
【特許請求の範囲】
【請求項１】
インターネット網を利用する通常のサーバークライアントシステムにおいて、利用者のインターネット網を通じて接続されたウェブサーバに連動して、競馬の該当競争別各競走馬の予想優勝馬に対しての２着馬・３着馬の確率を計算する為の必要情報が保存された競走馬データベース及び、ウェブサーバに連動して競争タイムの競走馬の予想優勝馬に対しての２着馬・３着馬の確率を計算する為の必要情報が保存されたスピードタイムデータベースを、２着馬・３着馬確率計算簿に連動させ、ウェブサーバを介し、競走馬の予想優勝馬に対しての２着馬・３着馬の結果を提供することを特徴としたシステム。
【請求項２】
インターネット網を利用して上述システムの競走馬の予想優勝馬に対しての２着馬・３着馬の結果を得ることにおいて、利用者はウェブブラウザで提供される上述システムの競走馬の予想優勝馬に対しての２着馬・３着馬の結果を得るための検索画面から指定された検索条件より、利用者希望の条件をクリックして選択し、検索欄をクリックすればすぐに検索結果をウェブブラウザを通じて提供できることを特徴としたシステム。
【発明の詳細な説明】
【技術分野】
【０００１】  本発明は、インターネット上での競馬予想優勝馬に対しての２着馬・３着馬の確率計算システムに関する。
【背景技術】
【０００２】  一般的に競馬は出場する競走馬の中でどの競走馬が優勝するかを予測し、予測した競走馬に所定の金額を掛けるものである。この時、競走馬の優勝可能性を予想するにあたり競馬予想紙などに掲載された該当競走馬の過去の競走記録、例を挙げると走行速度、過去の成績、体重、現在のコンディション、騎手、調教師、負担重量、年齢などのデータを土台にその優勝可能性を予測する。【０００３】  しかし、そのような従来の方法では個人が単純に過去の資料をもとに各競走馬を比較して検討／予測する為、その過程が面倒なだけではなく優勝の変動が激しい競馬において競走馬の優勝可能性を決定するのはかなり難しいのが実情である。【０００４】  さらに予想優勝馬をもとに２着馬・３着馬を予想するのは非常に困難であり、また予想専用端末を新たに購入する／高額な予想ソフトを購入する／専用の接続ツールを利用者のパソコンにインストールしなければならないのが実情である。従来例として、特許文献１、特許文献２及び特許文献３を挙げる。【０００５】
【特許文献１】  特開２００２−３７３２１８号公報
【特許文献２】  特開平１１−２９０５５４号公報
【特許文献３】  特許公開２００４−５４９１７
【発明の開示】
【発明が解決しようとする課題】
【０００６】  上述のような問題点を解消する為の本発明の目的は、競走馬の過去の競走記録をデータベース化し、該当競走出場の各競走馬の各競走別優勝馬に対しての２着馬・３着馬の確率を数値的に計算するのは勿論のこと、その競馬場、馬場状態、その競技の距離、競技頭数、及び馬番号別スピードを上述の方法で計算した優勝確率に反映させて競走馬の総合的中率を算出するインターネット上での競馬優勝馬に対しての２着馬・３着馬の確率予想システム及びその方法をウェブブラウザを介して提供する所にある。
【課題を解決するための手段】
【０００７】上述のような目的を達成する為本発明は、インターネット網を利用する通常のサーバークライアントシステムにおいて、利用者のインターネット網を通じて接続されたウェブサーバに連動して、競馬の該当競争別各競走馬の予想優勝馬に対しての２着馬・３着馬の確率を予想する為の必要情報が保存された競走馬データベース及び、ウェブサーバに連動して競争タイムの競走馬の予想優勝馬に対しての２着馬・３着馬の確率を予想する為の必要情報が保存されたスピードタイムデータベースを、２着馬・３着馬確率計算簿に連動させウェブサーバを介し、競走馬の予想優勝馬に対しての２着馬・３着馬の結果を提供するシステムを構成する。【０００８】  またインターネット網を利用して上述システムの競走馬の予想優勝馬に対しての２着馬・３着馬の結果を得ることにおいて利用者はウェブブラウザで提供される上述システムの競走馬の予想優勝場に対しての２着馬・３着馬の結果を得る為の検索画面から指定された検索条件より利用者希望の条件をクリックして検索欄をクリックすればすぐに検索結果をウェブブラウザを通じて提供することを構成する。
【発明の効果】
【０００９】  上述したように本発明のシステムは、利用者のインターネット網を通じて接続されたウェブサーバに利用者のウェブブラウザを利用し検索できるため、世界中どこからでもアクセス可能である。ウェブブラウザはパソコンに付属のソフトウェアである。【００１０】  また、専用端末／専用ソフトウェア／専用接続ツールを必要としないため、操作にいたる準備やシステム利用手順を軽減できる効果を発揮するものである。
【発明の実施するための最良の形態】
【００１１】  以下、本発明の実施の形態を図１〜図５に基づいて説明する。
【００１２】  図においては、１は本発明のウェブサーバ１０にインターネット網１００を通じて接続する為の利用者パソコン５を通じて接続されて、本発明の競走馬データベース２０／スピードデータベース３０と連動してデータベース検索及び利用者パソコン５に送信する為のウェブページを提供・管理し、更新する為のソリューションを含むウェブサーバ１０と、該当競走別各競走馬の予想優勝馬に対しての２着馬・３着馬の確率を予想する為の必要情報が保存された競走馬データベース２０／スピードデータベース３０と該当競走別各競走馬の予想優勝馬に対しての２着馬・３着馬を選出する２着馬・３着馬確率計算簿４０と連動して構成されている。
【００１３】  図２又は図３は、本発明システムのデータベースの構成を表した図面で、図２は競走馬データベース２０の構成を表した図面、図３はスピードタイムデータベース３０の構成を表した図面である。
【００１４】  図２は競走馬データベース２０に保存された競走馬データレコード中、一つの例を図示したものである。本発明の実施例で挙げると上述レコードを構成するフィールドとして、レース開催年月日、レース開催競馬場名、レース距離、レーストラック（芝、ダート）、レース番号、レース入線頭数、馬番、確定順位、脚質（逃げ、先行、差し、追込）、レース天候、レース馬場状態（良、やや重、重、不良）が記録される。
【００１５】  続いて図３はスピードデータベース３０に保存されたスピードデータレコード中、一つの例を図示したものである。本発明の実施例で挙げると上述レコードを構成するフィールドとして、レース開催競馬場名、レーストラック（芝、ダート）、レース距離、レース馬場状態（良、やや重、重、不良）毎の平均出走タイムが記録される。
【００１６】  一方、上述の該当競走別各競走馬の予想優勝馬に対しての２着馬・３着馬を選出する２着馬・３着馬確率計算簿４０は、内部に上述競走馬データベース２０に保存された情報とスピードタイムデータベース３０を利用してその該当競走別各競走馬の予想優勝馬に対しての２着馬・３着馬の確率を予想し計算する為のソフトウェアソリューションを内蔵しており、ウェブサーバ１０から伝達された利用者の要求に対応する中央制御部５０の司令により上述２着馬・３着馬確率計算簿４０に内蔵された上述ソフトウェアソリューションを作動して、上述競走馬データベース２０とスピードタイムデータベース３０から上述結果予測に必要な情報を読み出し、該当競走別出走競走馬の予想優勝馬に対しての２着馬・３着馬の確率を計算する。この詳細説明は後で述べる。
【００１７】  また、上述のウェブサーバ１０は公知の送信方式を利用して送信できる。
【００１８】  一方、利用者パソコン５とインターネット網１００とのインターフェース及びインターネット網１００とウェブサーバ１０間のインターフェースは、ＴＰＣ／ＩＰプロトコルを利用する送信規約として互いの情報を送信でき、これは公知の技術を利用して具現できるもので、これらの構成要素間の物理的なインターフェース及びデータミスに関した詳細説明は省略する。
【００１９】  また、本発明の実施例で挙げると、ウェブサーバ１０と競走馬データベース２０及びスピードタイムデータベース３０間の情報検索及び読み出しと情報の管理方法は公知のＲＤＢＭＳ（Ｒｅｌａｔｉｏｎａｌ  Ｄａｔａ  Ｂａｓｅ  Ｍａｎａｇｅｍｅｎｔ  Ｓｙｓｔｅｍ、管理型データベース管理システム）技術を利用し、ウェブサーバ１０の要求に従い各データベースから要求される該当情報を検索／読み出し及び管理できるようにする。
【００２０】  次に上述のように構成されている本発明の予想優勝馬に対する２着馬・３着馬の確率予想方法を添付図面に基づいて詳細に説明する。図４は本発明の予想優勝馬に対する２着馬・３着馬確率予想方法を表すフローチャートで、この各段階を説明する。
【００２１】  （１）利用者のウェブサーバ接続手順
利用者パソコン５のウェブブラウザを利用しインターネット網１００を通じてウェブサーバ１０に接続する段階（段階Ｓ３０１）、ウェブサーバ１０に接続した利用者に対する利用料の決済可否を確認する段階（段階Ｓ３０２）、決済が成功すれば、ウェブサーバ１０に接続した利用者が該当競走別出走競走馬の予想優勝馬に対する２着馬・３着馬の確率予想を望む競走を選択する段階（段階Ｓ３０３）、ウェブサーバ１０が利用者が選択した該当競走別出走競走馬の予想優勝馬に対する２着馬・３着馬の確率の計算を中央制御部５０に要求し、上述２着馬・３着馬確率要求に対応して、中央制御部５０が２着馬・３着馬確率計算簿４０に２着馬・３着馬の確率計算の司令を伝達する段階（段階Ｓ３０４）を含めて構成されており、本発明のウェブサーバ１０の運営者は必要に応じて上述の段階中利用料の決済可否確認段階（段階Ｓ３０２）を経由して利用者に有償で本発明のウェブサーバによる競走馬該当競走別出走競走馬の予想優勝馬に対する２着馬・３着馬の確率を提供できる。
【００２２】  （２）該当競走別出走競走馬の予想優勝馬に対する２着馬・３着馬の確率の手順
続いて該当競走別出走競走馬の予想優勝馬に対する２着馬・３着馬の確率の手順は、上述指令により上述２着馬・３着馬確率計算簿４０自身が内蔵したソフトウェアソリューションを作動させ、競走馬データベース２０とスピードタイムデータベース３０から上述結果予測に必要な情報を算出する段階（段階Ｓ３０５）、上述で読み出した情報によって上述２着馬・３着馬確率計算簿４０が上述利用者が選択した該当競走別出走競走馬の予想優勝馬に対する２着馬・３着馬の確率を計算する段階（段階Ｓ３０６）を含めて構成される。
【００２３】  （３）該当競走別出走競走馬の予想優勝馬に対する２着馬・３着馬の確率計算結果の送信手順
続いて該当競走別出走競走馬の予想優勝馬に対する２着馬・３着馬の確率計算結果の送信手順は、上述２着馬・３着馬の確率計算の手順が終了すれば、上述ウェブサーバ１０が２着馬・３着馬確率計算簿４０で計算した該当競走別出走競走馬の予想優勝馬に対する２着馬・３着馬の確率を含めたウェブページを生成し、利用者パソコン５のウェブブラウザに送信する段階（段階Ｓ３０７）を含めて構成される。
【００２４】  続いて、図５を参考に上述該当競走別出走競走馬の予想優勝馬に対する２着馬・３着馬計算の手順をより詳細に説明する。図５は図４に図示された該当競走別出走競走馬の予想優勝馬に対する２着馬・３着馬の計算方法を表したフローチャートである。
【００２５】  まず、図５の該当競走別出走競走馬の予想優勝馬に対する２着馬・３着馬の確率計算方法を説明する。上述２着馬・３着馬確率計算簿４０が競走馬データベース２０から該当競走馬レコードを読み出す（段階Ｓ４０１）。読み出した該当競走馬レコードから過去の当時の競技記録の中で利用者が選択した競走条件（以下、該当競走と呼ぶ）の競走条件と一致するデータを選別する（段階Ｓ４０２）。ここで言う該当競走の競走条件とは、例を挙げると該当レースの競馬場名、距離、馬場状態（良、やや重、重、不良）、レーストラック（芝、ダート）、出走頭数、予想優勝馬の脚質（逃げ、先行、差し、追込）、予想優勝馬の馬番の条件が一致する条件を持った情報で、該当競走と一致する条件を持ったデータを優先的に選別。万が一条件と一致しないレコードやその競走馬のレコードに過去の競技成績が存在しない場合には、利用者のウェブブラウザに存在しないメッセージを表示させ、再度条件入力を促す。
【００２６】  選別されたデータから、該当競走馬の２着の上位３頭を算出する（段階Ｓ４０３）。
【００２７】  選別されたデータから、該当競走馬の３着の上位３頭を算出する（段階Ｓ４０４）。
【００２８】  さらに、上述２着馬・３着馬確率計算簿４０がスピードタイムデータベース３０から該当競走馬レコードを読み出す（段階Ｓ４０５）。ここで言う該当競走の競走条件とは、例を挙げると該当レースの競馬場名、距離、レーストラック（芝、ダート）、馬場状態（良、やや重、重、不良）毎の平均タイム情報で、該当競走と一致する条件を持ったデータを選別する。
【００２９】  該当競走馬の１着・２着・３着の馬番においての平均スピードタイムを算出する（Ｓ４０６）。
【００３０】  タイム差別の馬番確率数値を算出する（Ｓ４０７）。
【００３１】  選別された該当競走馬の２着の上位３頭を算出したデータ（段階Ｓ４０３）と該当競走馬の３着の上位３頭を算出したデータ（段階Ｓ４０４）及びタイム差別の馬番確率数値を算出したデータ（段階Ｓ４０７）を連動させ（段階Ｓ４０８）、該当競走別出走競走馬の予想優勝馬に対する２着馬・３着馬を選出する（段階Ｓ３０７）。
【図面の簡単な説明】
【図１】本発明による該当競走別出走競走馬の予想優勝馬に対する２着馬・３着馬の確率予想システムの構成図である。
【図２】本発明システムの競走馬データベースの構成を表した図である。
【図３】本発明システムのスピードタイムデータベースの構成を表した図である。
【図４】本発明による該当競走別出走競走馬の予想優勝馬に対する２着馬・３着馬の確率方法を表した流れ図である。
【図５】図４で図示した該当競走別出走競走馬の予想優勝馬に対する２着馬・３着馬の確率計算方法（段階Ｓ３０５）を表した流れ図である。
【符号の説明】
５  利用者パソコン  ウェブブラウザ
１０  ウェブサーバ
２０  競走馬データベース
３０  スピードタイムデータベース
４０  ２着馬・３着馬確率計算簿
５０  中央制御部
１００  インターネット網
【図１】
2007317149.tif 000003
【図２】
2007317149.tif 000004
【図３】
2007317149.tif 000005
【図４】
2007317149.tif 000006
【図５】
2007317149.tif 000007